(57)【要約】      （修正有）【課題】靴と靴下の隙間からの砂等の侵入を防止する防塵カバーを提供する。【解決手段】布の一端側と他端側の上部にそれぞれ面ファスナー１ａを取り付け、靴下３に布を巻き付けたときに、１周目の上端１ｂと重ね巻きした最終端の上端１ｃとが面ファスナーで固定され、靴の形状に沿って円錐状に末広がりの形状になることを特徴とする。【選択図】図１
0003200154.tif 000002
【実用新案登録請求の範囲】
【請求項１】
靴下を履いて靴を履いた時、靴と靴下のすべての隙間を覆う防塵カバーを靴下の上に巻き付け固定することを特徴とする防塵カバー。
【請求項２】
防塵カバーの下部に重しを取り付けたことを特徴とする請求項１に記載の防塵カバー。
【考案の詳細な説明】
【技術分野】
【０００１】
本考案はスポーツ（特にテニス）を行うときに靴の上方から入る砂等を防止するための防塵カバーに関するもので、特に砂入り人工芝コート（オムニコート）で有用に利用できるものに関する。
【背景技術】
【０００２】
砂入り人工芝コート（オムニコート）でテニスを行う場合、主に靴と靴下を履いた足の隙間から砂等が侵入し、違和感を感じる程度になると靴から砂等を出す手間をかける必要があったが砂等の侵入を防ぐ防塵カバーは販売されていない。
【先行技術文献】
【特許文献】
【０００３】
【特許文献１】この種の従来技術としては、特開２００６−５５６０１があるが、この防塵カバーは靴の編み上げ部分を含む靴の周りを面ファスナー等で固定する必要があり、手間がかかり面倒であった。靴の周りに面ファスナーの片側を固定する手間もあった。また、靴と防塵カバーが固定されているため、この固定を外し忘れて靴を脱ごうとした場合、靴が脱げず、つまずいてしまうことがあった。
【特許文献２】実願２０１４−４２４０は靴下に防塵カバーを固定したものであるが、伸縮性のある靴下を足首と踵を通過できる大きさに拡張した後、防塵カバーを縫製する等の固定方法が要求され、手間がかかった。また、防塵カバーを固定した靴下はテニス以外の他の用途に使用しにくいため、用途が限られ不経済であった。
【非特許文献】
【０００４】
【非特許文献１】厚めの靴下を履いて、靴の紐をきつめに締めて靴と靴下の隙間を少なめにして、砂等の侵入を削減することもある。
【考案の概要】
【考案が解決しようとする課題】
【０００５】
最近のテニスコートは砂入り人工芝コート（オムニコート）が多くなっている。テニスを行っているとき、舞い上がった砂等が主に靴と靴下の隙間から靴の中に侵入し、砂等がたまると違和感を覚えるとともに、靴に侵入した砂等を除去する手間がかかった。靴の中に入った砂が靴下の底部に体重（荷重）が掛かることにより靴下の編み目から侵入し、靴下の中にも砂が入り、靴下を脱ぐときに靴下の中から砂が出てきて、洗濯する前に砂の除去が必要となり、手間が掛かった。
【課題を解決するための手段】
【０００６】
テニスを行っている際に、舞い上がった砂等が主に靴と靴下の隙間から靴に侵入する。これを解決するために、靴と靴下の隙間をカバーで覆い、砂等の侵入を防止する防塵カバーを提供する。防塵カバーは靴下の足首部分に一端を砂等が入らないように巻き付け固定し、円錐状に末広がりになったものがよく、靴の形状に沿ったものがよい。防塵カバーの最下部は靴の底面より少し短い方が移動中に靴で防塵カバーを踏むこともない。防塵カバーの最下部へは移動しないフレキシブルな重しを取り付け、激しい動きの中でも防塵カバーが舞い上がりにくくしたほうがよい。防塵カバーは３ｃｍ以上の長さを重ね巻きした方が砂等の侵入がない。防塵カバーの材質は特にこだわるものではなく、通常は砂等が侵入しない目の細かさがあり、通気性の良いものが好ましい。又、色やデザインも好みによって色々の組み合わせが選べる。形状記憶布等を使用すれば、洗濯後の皴、縮みが少なくなる。さらに防塵カバーには伸縮機能があれば、着用感、靴や足首との密着性が向上し好ましい。巻き付け固定する方法は、防塵カバーを締め付けて巻き付け、１周目で防塵カバーの上端を面ファスナーで固定し、重ね巻きした最終端の上端をさらに面ファスナーで固定するとよい。
【考案の効果】
【０００７】
あらかじめ靴の中の砂等がない状態にした靴を準備した後、３ｃｍ重ね巻きした防塵カバーを着用してオムニコートでテニスを３時間実施した後、靴の中の砂等の量を確認した結果、砂等は確認できなかった。使用感にも何の違和感もなく満足すべきものであった。
【図面の簡単な説明】
【０００８】
【図１】防塵カバーを取り付けた時の説明図
【図２】防塵カバーの斜視図
【図３】下部に重しを取り付けた防塵カバーの斜視図
【図４】図２のＡ−Ａ断面図
【図５】図３のＢ−Ｂ断面図
【考案を実施するための形態】
【０００９】
スポーツ（特にテニス）を行うときに靴と靴下の隙間から入る砂等を防止するための防塵カバーであって、靴下の足首部分に一端を砂等が入らないように巻き付け固定し、円錐状に末広がりになったものがよく、靴の形状に沿ったものがよい。防塵カバーの最下部は靴の底面より少し短い方が移動中に靴で防塵カバーを踏むこともない。防塵カバーの最下部へは移動しないフレキシブルな重しを取り付け、激しい動きの中でも防塵カバーが舞い上がりにくくしたほうがよい。防塵カバーは３ｃｍ以上の長さを重ね巻きした方が砂等の侵入がない。防塵カバーの材質は特にこだわるものではなく、通常は砂等が侵入しない目の細かさがあり、通気性の良いものが好ましい。巻き付け固定する方法は、防塵カバーを締め付けて巻き付け、１周目で防塵カバーの上端を面ファスナーで固定し、重ね巻きした最終端の上端をさらに面ファスナーで固定すると砂等の侵入を防ぐことが出来る。
【実施例】
【００１０】
図１は本考案の一実施例を示す説明図である。靴下を履いて靴を履いた後、靴下の上から足首部に防塵カバー１の上部を締め付けて巻き付け縫合した面ファスナー１ａで１周目と巻き終わり端を係止することによって、靴下３とシューズ２の隙間を覆い砂等がシューズ２に侵入することを防ぐ構造になっている。防塵カバー１の最下部は靴２の底面より短くし移動中に靴２で防塵カバー１を踏むことがないようにした。防塵カバー１は砂等を通過しない通気性の良い薄い布で製作し、足首と固定する部分の円周長さは足首の円周長さに３ｃｍ長さを追加して巻き付けたとき重なるようにした。図３は防塵カバー１の他の一実施例を示す斜視図である。防塵カバー１の機材はポリエステル６５％、綿３５％の布を使用した。重し１ｄは防塵カバー１が激しい動きのなかでも舞い上がりにくくするためのフレキシブルな重しで、アルミ網戸用の網押えゴムφ３．５ｍｍの中空ゴムを約１０ｍｍにカットした重し１ｄを防塵カバー１の最下部円周長さよりやや短めにして糸６で数珠つなぎしたものを糸で縫合し、固定した。
【産業上の利用可能性】
【００１１】
布の型紙を作り、縫合作業を行えば比較的容易に防塵カバーの製作ができ、防塵カバーを容易に取り付けてテニスを行った時も違和感がなく、靴の中に砂等が入らないことも確認できたため、多くのテニスプレーヤーが喜んで利用できる。
【符号の説明】
【００１２】
１      防塵カバー
１ａ     面ファスナー
１ｂ    巻き１周目端
１ｃ    巻き終わり端
１ｄ    重し
２      靴
３      靴下
４      足
５      縫合糸
６      糸
【図１】
0003200154.tif 000003
【図２】
0003200154.tif 000004
【図３】
0003200154.tif 000005
【図４】
0003200154.tif 000006
【図５】
0003200154.tif 000007
【手続補正書】
【提出日】平成27年7月8日(2015.7.8)
【手続補正１】
【補正対象書類名】実用新案登録請求の範囲
【補正対象項目名】請求項１
【補正方法】変更
【補正の内容】
【請求項１】
ikennohyouji 布の一端側と他端側の上部にそれぞれ面ファスナーを取り付け、靴下に布を巻き付けたときに、１周目の上端と重ね巻きした最終端の上端とが前記面ファスナーで固定され、円錐状に未広がりの形状になることを特徴とする防塵カバー。
【手続補正書】
【提出日】平成27年7月29日(2015.7.29)
【手続補正１】
【補正対象書類名】実用新案登録請求の範囲
【補正対象項目名】請求項１
【補正方法】変更
【補正の内容】
【請求項１】
布の一端側と他端側の上部にそれぞれ面ファスナーを取り付け、靴下
に布を巻き付けたときに、１周目の上端と重ね巻きした最終端の上端
とが前記面ファスナーで固定され、円錐状に末広がりの形状になることを
特徴とする防塵カバー。